(57)【要約】【課題】  静止画再生中にユーザーの選んだ曲を再生することができる映像・音声再生装置を実現する。【解決手段】  映像・音声再生装置は、スピンドルモータ２、光ピックアップ３、送りモータ４、サーボ制御部５、RFアンプ６、プロセッサ７、ストリーム分離部９、副映像デコーダ１２、映像デコーダ１４、画像ＭＩＸ回路１６、ビデオエンコーダ１７、モニタ１８、ＤＡＣ１９、増幅回路２０、スピーカ２１、システムコントローラ２２、操作部２４、音声入力部３１、第１のスイッチ３２、拡張音声メモリ３３、第２のスイッチ３４、音声復号回路３５等から構成されている。光ディスク１に記録されている静止画を再生及び表示している間、第２のスイッチ３４は拡張音声メモリ３３に格納されている音楽データを選択し、この音楽データは音声復号回路３５、ＤＡＣ１９、及び増幅回路２０を経由してスピーカ２１で音声として再生される。【選択図】  図１
2005166224.tif 000002
【特許請求の範囲】
【請求項１】
音声を復号化するために設けられたバッファメモリと、
前記バッファメモリとは別領域に設けられ、圧縮符号化音声データを格納するメモリと、
前記メモリに音声データを書き込むか否かの選択を行なう選択手段と、
前記メモリに前記圧縮符号化音声データを格納する格納手段と、
前記メモリに格納された音声データをクリアするクリア手段と、
前記メモリに格納された音声データを音声復号回路に送信する送信手段と、
前記音声復号回路から出力された音声データを音声再生して出力する出力手段と、
前記圧縮符号化音声データを再生している間或いは再生していない間、前記メモリに格納された音声データを再生する再生手段と、
を具備することを特徴とする映像・音声再生装置。
【請求項２】
フラッシュメモリを設け、前記メモリに格納された圧縮符号化音声データをこのフラッシュメモリに転送し、或いは前記フラッシュメモリに格納された圧縮符号化音声データを、前記メモリへ転送、又は前記音声復号回路に転送することを特徴とする請求項１に記載の映像・音声再生装置。
【請求項３】
前記格納手段は、再生中の曲を前記メモリに記録し、１曲ごとにクリアして新たな曲を前記メモリに格納することを特徴とする請求項１又は２に記載の映像・音声再生装置。
【請求項４】
再生中の曲を保存する場合に、再生中の曲を最後まで前記メモリに格納し、次の曲は格納しないことを特徴とする請求項３に記載の映像・音声再生装置。
【発明の詳細な説明】
【技術分野】
【０００１】
本発明は、光ディスク等の映像・音声再生装置に関し、特に高圧縮符号化音声データが記録された映像・音声再生装置に関する。
【背景技術】
【０００２】
近年、短波長のレーザを使用した光ピックアップ技術の向上、高密度記録技術及びデータ圧縮技術の進歩に伴い、光ディスクなどの記録媒体の大容量化が進み、記録媒体に記録できる情報量が飛躍的に増大している。例えば、ＣＤ（Compact  Disk）と同径サイズのＤＶＤ（Digital  Versatile  Disk）等の光ディスクでは、約２時間分の映画に対応する量の動画像の映像データ、音声データ及び字幕等を表示する副映像データを記録することができる。
【０００３】
一方、ＤＶＤ再生装置には、ＭＰ３（MPEG-1  Audio  Layer３）、ＷＭＡ（Windows(R)  Media  Audio）、ＡＣＣ（Advance  Audio  Coding）等の高圧縮符号化音声データが記録されたＣＤ−Ｒ／ＲＷ、及びデジタルカメラ等で撮影した静止画を記録したＣＤ−Ｒ／ＲＷのディスクを再生できるものが増えてきている。
【０００４】
この種の映像・音声再生装置としては、図６に示すものが知られている（例えば、特許文献１参照。）。図６は、映像・音声再生装置を示すブロック図である。
【０００５】
図６に示すように、この特許文献１に開示された映像・音声再生装置は、スピンドルモータ１０２、光ピックアップ１０３、送りモータ１０４、サーボ制御部１０５、RFアンプ１０６、プロセッサ１０７、ストリーム分離部１０９、オーディオデコーダ１１０、副映像デコーダ１１２、映像デコーダ１１４、画像ＭＩＸ回路１１６、ビデオエンコーダ１１７、モニタ１１８、ＤＡＣ（デジタルアナログコンバータ）１１９、増幅回路１２０、スピーカ１２１、システムコントローラ１２２、操作部１２４、及びバッファメモリ１０８、１１１、１１３、１１５、１２３から構成されている。
【０００６】
スピンドルモータ１０２は、ＤＶＤ１０１を所定の回転数で回転させる。光ピックアップ１０３は、ＤＶＤ１０１に記憶されているデータを検出するものであり、半導体レーザ、ホトダイオード等を内蔵する。送りモータ１０４は、光ピックアップ１０３をＤＶＤ１０１の径方向に移動させる。サーボ制御部１０５は、システムコントローラ１２２の指示により、スピンドルモータ１０２及び送りモータ１０４を駆動し、そして、半導体レーザの焦点位置をＤＶＤ１０１の記録面と水平及び垂直方向に移動させる。更に、各種のサーボ制御も行なう。
【０００７】
RFアンプ１０６は、光ピックアップ１０３に内蔵されたホトダイオードから出力された電気信号を増幅する。プロセッサ１０７は、RFアンプ１０６から出力されたアナログ信号をデジタルデータに変換し、信号復調及び誤り訂正処理を行ない生成したデジタルデータをバッファメモリ１０８に格納する。ストリーム分離部１０９は、システムコントローラ１２２の指示により、プロセッサ１０７から出力されたデータを分離する。
【０００８】
オーディオデコーダ１１０は、ストリーム分離部１０９から出力されたオーディオ情報を一旦バッファメモリ１１１に格納し、システムコントローラ１２２の指示により、バッファメモリ１１１からオーディオ情報を読み出して所定の復号化処理を行ない、そのデータをＤＡＣ１１９に転送する。ＤＡＣ１１９は、オーディオデコーダ１１０から出力されたデジタル信号をアナログ信号に変換する。増幅回路１２０は、ＤＡＣ１１９から出力されたアナログ信号を増幅する。スピーカ１２１は、増幅回路１２０で増幅されたアナログ信号を音声として再生する。
【０００９】
映像デコーダ１１４は、ストリーム分離部１０９から出力された映像情報に対して所定の復号化処理を行ない、そのデータを画像ＭＩＸ回路１１６に転送する。副映像デコーダ１１２は、ストリーム分離部１０９から出力された副映像情報に対して所定の復号化処理を行ない、そのデータを画像ＭＩＸ回路１１６に転送する。
【００１０】
画像ＭＩＸ回路１１６は、システムコントローラ１２２の指示により、映像デコーダ１１４及び副映像デコーダ１１２から出力された信号の多重化を実行する。  ビデオエンコーダ１１７は、画像ＭＩＸ回路１１６から出力されたデジタル映像信号をアナログ映像信号に変換する。ＣＲＴ又はＴＦＴからなるモニタ１１８は、ビデオエンコーダ１１７から出力された映像データを画像として再生する。
【００１１】
操作部１２４は、各種操作キーを備え、キーの操作状態に応じた信号をシステムコントローラ１２２に送信する。バッファメモリ１２３は、システムコントローラ１２２の指示・制御情報を一時格納する。システムコントローラ１２２は、この映像・音声再生装置全体を指示・制御する。
【特許文献１】特開２００３−８７７４５号公報（頁７、図４）
【発明の開示】
【発明が解決しようとする課題】
【００１２】
上述した映像・音声再生装置においては、デジタルカメラ等で撮影した静止画を記録したＣＤ−Ｒ／ＲＷ等のディスクを再生できるが、ディスクには記録媒体として静止画だけしか記録されていないので、ディスクを再生中は音声を再生できず、バックミュージックを聞きながら静止画を鑑賞することが出来ないという問題点があった。
【００１３】
本発明は、上記問題に鑑みてなされたもので、その目的とするところは、回路規模の増加を抑制し、且つメモリを新たに増設せずに静止画再生中にユーザーの選んだ曲を再生することができる映像・音声再生装置を提供することにある。
【課題を解決するための手段】
【００１４】
上記目的を達成するために、本発明の一態様の映像・音声再生装置は、音声を復号化するために設けられたバッファメモリと、前記バッファメモリとは別領域に設けられ、圧縮符号化音声データを格納するメモリと、前記メモリに音声データを書き込むか否かの選択を行なう選択手段と、前記メモリに前記圧縮符号化音声データを格納する格納手段と、前記メモリに格納された音声データをクリアするクリア手段と、前記メモリに格納された音声データを音声復号回路に送信する送信手段と、前記音声復号回路から出力された音声データを音声再生して出力する出力手段と、前記圧縮符号化音声データを再生している間或いは再生していない間、前記メモリに格納された音声データを再生する再生手段とを具備することを特徴とする。
【発明の効果】
【００１５】
本発明によれば、回路規模の増加を抑制し、且つメモリを新たに増設せずに静止画再生中にユーザーの選んだ曲を再生することができる映像・音声再生装置を提供ことができる。
【発明を実施するための最良の形態】
【００１６】
以下本発明の実施例について図面を参照しながら説明する。
【実施例１】
【００１７】
まず、本発明の実施例１に係る映像・音声再生装置について、図面を参照して説明する。図１は映像・音声再生装置を示すブロック図である。
【００１８】
図１に示すように、映像・音声再生装置は、スピンドルモータ２、光ピックアップ３、送りモータ４、サーボ制御部５、RFアンプ６、プロセッサ７、ストリーム分離部９、副映像デコーダ１２、映像デコーダ１４、画像ＭＩＸ回路１６、ビデオエンコーダ１７、モニタ１８、ＤＡＣ（デジタルアナログコンバータ）１９、増幅回路２０、スピーカ２１、システムコントローラ２２、操作部２４、音声入力部３１、第１のスイッチ３２、拡張音声メモリ３３、第２のスイッチ３４、音声復号回路３５、及びバッファメモリ８、１１、１３、１５、２３から構成されている。
【００１９】
システムコントローラ２２は、この映像・音声再生装置全体を指示・制御する。操作部２４は、各種操作キーを備え、キーの操作状態に応じた信号をシステムコントローラ２２に送信する。バッファメモリ２３は、システムコントローラ２２の指示・制御情報を一時格納する。
【００２０】
スピンドルモータ２は、光ディスク１を所定の回転数で回転させる。光ピックアップ３は、光ディスク１に記憶されているデータを検出するものであり、半導体レーザ、ホトダイオード等を内蔵する。送りモータ４は、光ピックアップ３を光ディスク１の径方向に移動させる。サーボ制御部５は、システムコントローラ２２の指示により、スピンドルモータ２及び送りモータ４を駆動し、そして、光ピックアップ３に内蔵された対物レンズを動かして半導体レーザの焦点位置を光ディスク１の記録面と水平及び垂直方向に移動させる。更に、光ディスク１からのデータの読み取りに必要な各種のサーボ（フォーカスサーボ、トラッキングサーボ、回転サーボ）制御も行なう。
【００２１】
RFアンプ６は、光ピックアップ３に内蔵されたホトダイオードから出力された電気信号を増幅する。プロセッサ７は、RFアンプ６から出力されたアナログ信号をデジタルデータに変換し、光ディスク１のデータフォーマットに応じた信号復調及び誤り訂正処理を行ない生成したデジタルデータをバッファメモリ８に格納する。ストリーム分離部９は、システムコントローラ２２の指示により、プロセッサ７から出力されたデータを分離する。
【００２２】
副映像デコーダ１２は、ストリーム分離部９から出力された副映像情報を一旦バッファメモリ１３に格納し、システムコントローラ２２の指示により、ストリーム分離部９から出力された副映像情報に対して所定の復号化処理を行ない、そのデータを画像ＭＩＸ回路１６に転送する。映像デコーダ１４は、ストリーム分離部９から出力された映像情報を一旦バッファメモリ１５に格納し、システムコントローラ２２の指示により、ストリーム分離部９から出力された映像情報に対して所定の復号化処理を行ない、そのデータを画像ＭＩＸ回路１６に転送する。
【００２３】
画像ＭＩＸ回路１６は、システムコントローラ２２の指示により、副映像デコーダ１２及び映像デコーダ１４から出力された信号の多重化を実行する。ビデオエンコーダ１７は、画像ＭＩＸ回路１６から出力されたデジタル映像信号をアナログ映像信号に変換する。ＣＲＴ又はＴＦＴからなるモニタ１８は、ビデオエンコーダ１７から出力された映像データを画像として再生する。
【００２４】
音声入力部３１は、ストリーム分離部９から出力されたオーディオ情報を一旦バッファメモリ１１に格納し、システムコントローラ２２の指示により、バッファメモリ１１からオーディオ情報を第２のスイッチ３４に転送する。第１のスイッチ３２は、ストリーム分離部９から出力されたオーディオ情報がＭＰ３、ＷＭＡ、ＡＣＣ等の高圧縮符号化音声データの場合だけ拡張音声メモリ３３に転送する。
【００２５】
ここで、高圧縮符号化音声データは、少なくとも１曲以上ＳＤＲＡＭ等からなる拡張音声メモリ３３に格納される。そして、ＣＤに比べて数十分の１以上圧縮された高圧縮符号化音声データは、例えば、対応ビットレートが３２Ｋｂｐｓで、且つ１曲分が３分であれば、５．８Ｍｂｉｔの容量となり、対応ビットレートが更に早くなれば５．８Ｍｂｐｓ以下に容量を低減できる。このためＳＤＲＡＭ等からなる拡張音声メモリ３３の容量に占める高圧縮符号化音声データの割合は低く、１曲以上拡張音声メモリ３３に高圧縮符号化音声データを十分格納できる。
【００２６】
音声入力部３１から出力されたオーディオ情報は、第２のスイッチを介して音声復号回路３５に入力され、システムコントローラ２２の指示により、音声復号回路３５で復号化される。そして、復号化されたデジタル音声データは、ＤＡＣ１９でアナログ信号に変換され、増幅回路２０で増幅された後にスピーカで音声再生される。
【００２７】
そして、ある曲を再生中は第１のスイッチ３２を経由して拡張音声メモリ３３に音声データが供給され、次の曲になると拡張音声メモリ３３に格納された前曲データはクリアされ、現再生中の曲が格納されていく。また、ある曲を再生中に使用者が操作部２４の記録ボタンを押すことにより、第１のスイッチ３２は拡張音声メモリ３３への該当の最後の曲を供給した後には拡張音声メモリ３３に音声データを供給しない。
【００２８】
以上の様に使用者が希望して選んだ曲が拡張音声メモリ３３に格納できる。なお、拡張音声メモリ３３に格納された曲を書き換えたい場合には、一旦操作部２４のクリアボタンを押してクリアすればよい。
【００２９】
次に、デジタルカメラ等で撮影された静止画を記録した光ディスク１を再生する場合について図を用いて説明する。図２は音声再生及び静止画再生タイミングを示す概略図である。
【００３０】
図２に示すように、静止画再生モードのスイッチをオンすると、プロッセサ７から転送された映像データは、映像デコーダ１４で元のデジタル映像データに復号化され、画像ＭＩＸ回路１６を経由してビデオエンコーダ１７に転送されてアナログ映像信号に変換され、静止画再生開始から所定時間後にモニタ１８に静止画表示される。続いて、静止画の切り替え及び静止画再生動作を実行して次の静止画表示を行なう。
【００３１】
一方、光ディスク１に記録されている静止画を再生及び表示している間或いは何も再生していない間、第２のスイッチ３４は拡張音声メモリ３３に格納されている音楽データを選択し、この音楽データを音声復号回路３５に転送する。音声復号回路３５は、この音楽データを元のデジタル音声データに復号化し、復号化された音楽データはＤＡＣ１９でアナログ信号に変換され、増幅回路２０で増幅された後にスピーカ２１で音声再生される。ここで、静止画再生及び表示時間が使用者の選択した曲よりも長い場合には、繰り返しこの曲が再生される。
【００３２】
上述したように、本実施例の映像・音声再生装置では、デジタルカメラ等で撮影された静止画を再生している間は、拡張音声メモリ３３に格納された音楽情報を繰り返し再生できる。そして、格納された音楽情報は使用者が事前に好きな曲を選択し、拡張音声メモリ３３に格納できる。
【００３３】
更に、光ディスク１に記録された静止画を再生する場合、音楽及び副映像データがないので、映像及び音声処理を実行するのに回路の追加を抑制しながら、安価で新しいモード（楽しみ）を提供できる。
【００３４】
本実施例では、前曲をクリアし１曲ごと新たに拡張音声メモリ３３に格納されているが複数曲拡張音声メモリ３３に格納し、好みの曲を選択し再生してもよい。
【実施例２】
【００３５】
次に、本発明の実施例２に係る映像・音声再生装置について、図面を参照して説明する。図３は映像・音声再生装置を示すブロック図である。  
以下、本実施例において、実施例１と同一構成部分には、同一符号を付してその部分の説明は省略し、異なる構成部分のみ説明する。
【００３６】
図３に示すように、映像・音声再生装置は、スピンドルモータ２、光ピックアップ３、送りモータ４、サーボ制御部５、RFアンプ６、プロセッサ７、ストリーム分離部９、副映像デコーダ１２、映像デコーダ１４、画像ＭＩＸ回路１６、ビデオエンコーダ１７、モニタ１８、ＤＡＣ（デジタルアナログコンバータ）１９、増幅回路２０、スピーカ２１、システムコントローラ２２、操作部２４、音声入力部３１、第１のスイッチ３２、拡張音声メモリ３３、音声復号回路３５、及びバッファメモリ８、１１、１３、１５、２３から構成されている。
【００３７】
音声入力部３１は、ストリーム分離部９から出力されたオーディオ情報を一旦バッファメモリ１１に格納し、システムコントローラ２２の指示により、バッファメモリ１１からオーディオ情報を音声復号回路３５に転送する。音声復号回路３５は、音声入力部３１から出力された音声データをシステムコントローラ２２の指示により、復号化する。そして、復号化されたデジタル音声データは、ＤＡＣ１９でアナログ信号に変換され、増幅回路２０で増幅された後にスピーカ２１で音声再生される。
【００３８】
一方、音声入力部３１は、第1のスイッチ３２を介して拡張音声メモリ３３とも接続され、ストリーム分離部９から出力されたオーディオ情報が高圧縮符号化されている場合には、高圧縮符号化音声データは音声入力部３１から第１のスイッチ３２にも転送され、音楽情報として拡張音声メモリ３３に格納される。ここで、次の曲になると拡張音声メモリ３３に格納された前曲データはクリアされ、現再生中の曲が格納されていく。
【００３９】
次に、デジタルカメラ等で撮影された静止画を記録した光ディスク１を再生する場合には、光ディスク１に記録されている静止画を再生している間或いは何も再生していない間、第１のスイッチ３２は拡張音声メモリ３３に格納されている音楽データを選択し、この音楽データを音声入力部３１に転送し、音声入力部３１はこのデータを音声復号回路３５に転送する。音声復号回路３５は、この音楽データを元のデジタル音声データに復号化し、復号化された音楽データはＤＡＣ１９でアナログ信号に変換され、増幅回路２０で増幅された後に静止画の再生開始からスピーカ２１で音声再生される。
【００４０】
上述したように、本実施例の映像・音声再生装置では、実施例１による効果の他に、実施例１よりも回路の追加が少ないのでコストを低減できる。
【実施例３】
【００４１】
次に、本発明の実施例３に係る映像・音声再生装置について、図面を参照して説明する。図４は映像・音声再生装置を示すブロック図である。本実施例では、高圧縮符号化音声データを格納するフラッシュメモリを新たに設けている。
【００４２】
以下、本実施例において、実施例２と同一構成部分には、同一符号を付してその部分の説明は省略し、異なる構成部分のみ説明する。
【００４３】
図４に示すように、映像・音声再生装置は、スピンドルモータ２、光ピックアップ３、送りモータ４、サーボ制御部５、RFアンプ６、プロセッサ７、ストリーム分離部９、副映像デコーダ１２、映像デコーダ１４、画像ＭＩＸ回路１６、ビデオエンコーダ１７、モニタ１８、ＤＡＣ（デジタルアナログコンバータ）１９、増幅回路２０、スピーカ２１、システムコントローラ２２、操作部２４、音声入力部３１、第１のスイッチ３２、音声復号回路３５、フラッシュメモリ４１、及びバッファメモリ８、１１、１３、１５、２３から構成されている。
【００４４】
音声入力部３１は、第1のスイッチ３２を介してフラッシュメモリ４１に接続され、ストリーム分離部９から出力されたオーディオ情報が高圧縮符号化されている場合には、高圧縮符号化音声データは音声入力部３１から第１のスイッチ３２にも転送され、音楽情報としてフラッシュメモリ４１に格納される。
【００４５】
なお、フラッシュメモリ４１をプロッセサ７及びシステムコントローラ２２とは別に設けているが、プロッセサ７又はシステムコントローラ２２内に設けてもよい。ここで、次の曲になるとフラッシュメモリ４１に格納された前曲データはクリアされ、現再生中の曲が格納されていく。そして、フラッシュメモリ４１に格納された音楽データは映像・音声再生装置の電源をオフしても消去しない。
【００４６】
次に、デジタルカメラ等で撮影された静止画を記録した光ディスク１を再生する場合について図を用いて説明する。図５は音声再生及び静止画再生タイミングを示す概略図である。
【００４７】
図５に示すように、映像・音楽再生装置の電源をオンし、続いて静止画再生モードのスイッチをオンすると、プロッセサ７から転送された映像データは、映像デコーダ１４で元のデジタル映像データに復号化され、画像ＭＩＸ回路１６を経由してビデオエンコーダ１７に転送されてアナログ映像信号に変換され、静止画再生開始から所定時間後にモニタ１８に静止画表示される。続いて、静止画の切り替え及び静止画再生動作を実行して次の静止画表示を行なう。
【００４８】
一方、映像・音楽再生装置の電源をオンし、操作部２４のスイッチをオンしてから光ディスク１に記録されている静止画を再生及び表示している間、第１のスイッチ３２はフラッシュメモリメモリ４１に格納されている音楽データを選択し、この音楽データを音声入力部３１に転送し、音声入力部３１はこの音楽データを音声復号回路３５に転送する。音声復号回路３５は、この音楽データを元のデジタル音声データに復号化し、復号化された音楽データはＤＡＣ１９でアナログ信号に変換され、増幅回路２０で増幅された後にスピーカ２１で音声再生される。
【００４９】
ここで、静止画再生及び表示時間が使用者の選択した曲よりも長い場合には、繰り返しこの曲が再生される。なお、フラッシュメモリ４１の容量は、１曲以上の音楽データを格納するために少なくとも５．８Ｍｂｉｔ以上あることが好ましい。
【００５０】
上述したように、本実施例の映像・音声再生装置では、電源をオンし、操作部２４のスイッチをオンしてからデジタルカメラ等で撮影された静止画を再生及び表示している間は、予めフラッシュメモリ４１に格納された音楽情報を繰り返し再生できる。そして、格納された音楽情報は使用者が事前に好きな曲を選択し、フラッシュメモリ２１に格納できる。
【００５１】
本発明は、上記実施例に限定されるものではなく、発明の趣旨を逸脱しない範囲で、種々、変更してもよい。
【００５２】
例えば、実施例１では、光ディスク１に記録されている静止画を再生及び表示をしている間使用者が予め選択した曲を再生しているが、光ディスク１に記録されている映像及び音楽を再生する時に光ディスクに記録された音楽情報を再生せずに、第２のスイッチ３４を用いて予め拡張音声メモリ３３に格納された曲を再生してもよい。また、フラッシュメモリを新しく設けて音声データをこのフラッシュメモリに格納してもよい。
【００５３】
そして、本実施例では、記録媒体として光ディスクを例にして説明したがメモリカード等のパッケージされたメディアであってもよく、ＬＡＮ等により接続された放送メディアであってもよい。更に、これらの記録媒体が複数あってもよい。
【図面の簡単な説明】
【００５４】
【図１】本発明の実施例１に係る映像・音声再生装置を示すブロック図。
【図２】本発明の実施例１に係る音声再生及び静止画再生タイミングを示す概略図。
【図３】本発明の実施例２に係る映像・音声再生装置を示すブロック図。
【図４】本発明の実施例３に係る映像・音声再生装置を示すブロック図。
【図５】本発明の実施例３に係る音声再生及び静止画再生タイミングを示す概略図。
【図６】従来の映像・音声再生装置を示すブロック図。
【符号の説明】
【００５５】
１  光ディスク
２、１０２  スピンドルモータ
３、１０３  光ピックアップ
４、１０４  送りモータ
５、１０５  サーボ制御部
６、１０６  ＲＦアンプ
７、１０７  プロセッサ
８、１１、１３、１５、２３、１０８、１１１、１１３、１１５、１２３  バッファメモリ
９、１０９  ストリーム分離部
１２、１１２  副映像デコーダ
１４、１１４  映像デコーダ
１６、１１６  画像ＭＩＸ回路
１７、１１７  ビデオエンコーダ
１８、１１８  モニタ
１９、１１９  ＤＡＣ
２０、１２０  増幅回路
２１、１２１  スピーカ
２２、１２２  システムコントローラ
２４、１２４  操作部
３１  音声入力部
３２  第1のスイッチ
３３  拡張音声メモリ
３４  第２のスイッチ
３５  音声復号回路
４１  フラッシュメモリ
１０１  ＤＶＤ
【図１】
2005166224.tif 000003
【図２】
2005166224.tif 000004
【図３】
2005166224.tif 000005
【図４】
2005166224.tif 000006
【図５】
2005166224.tif 000007
【図６】
2005166224.tif 000008